(57)【特許請求の範囲】
【請求項１】
ボトル状の容器本体と、該容器本体の首部に中栓を介して螺合装着されるキャップとからなり、油分を含有する内容物を収納する油含有物用の容器であって、
前記中栓の雄ネジ形成部の外周面には雄ネジ突条が、前記キャップの雌ネジ形成部の内周面には雌ネジ突条が各々螺旋状に設けられ、
且つ前記雌ネジ突条の先端部分が前記雄ネジ突条の終端部分まで達した後に前記キャップがさらに締め付けられた際に、前記容器本体の首部の外周面に沿って前記中栓が回転し始める回転力に前記締め付け時の回転力が到達する前に、前記雌ネジ突条の先端部分が前記雄ネジ突条の終端部分を乗り越えるように誘導する乗り越え誘導手段を備えており、
該乗り越え誘導手段は、前記雌ネジ突条の少なくとも先端部分、前記雄ネジ突条の少なくとも終端部分、又は前記雌ネジ突条の少なくとも先端部分及び前記雄ネジ突条の少なくとも終端部分の双方について、そのフランク角を１０〜６０度とすると共に、前記キャップの雌ネジ形成部に、前記雌ネジ突条と交差する方向に延設されて前記雌ネジ形成部の開口側端部に至る少なくとも一本のスリットを設けることにより構成される油含有物用容器。
【発明の詳細な説明】
【０００１】
【産業上の利用分野】
本発明は、ボトル状の容器本体と、該容器本体の首部に中栓を介して螺合装着されるキャップとからなり、油分を含有する内容物を収容する油含有物用容器に関する。
【０００２】
【従来の技術及び発明が解決しようとする課題】
油分を含有する内容物として例えばドレッシングを収容する容器は、ボトル状の容器本体と、容器本体の首部に中栓を介して螺合装着されるキャップとからなり、また中栓はプルリングを備えていて当該中栓を閉塞状態から開口できるようになっている。一方、ボトル状の容器本体は、収容した内容物が良く見え、残量もわかるように透明なボトル容器が一般的に使用されており、このような透明なボトル容器としては、例えばポリエチレンテレフタレート（ＰＥＴ）等からなる樹脂製の容器や、ガラス容器が知られている。
【０００３】
例えばＰＥＴ製のボトル容器は、中栓やキャップが装着される首部をインジェクション・ブロー成形法のインジェクション工程によって、首部以外を延伸ブロー工程によって成形するものが主であり、その成形特性によって、中栓を首部に嵌合した後にその回転を防止するための係止リブと、キャップを螺合させるための雄ネジ突条との双方を容器本体の首部に同時に設けることが困難とされている。したがって、例えばドレッシングを収容する透明容器においては、容器本体の首部に雄ネジ用の突条を形成することなく、中栓の外周部に雄ネジ用の突条を形成するのが一般的である。そして、このような中栓を有し、ドレッシング等の油分を含有する内容物を収容する容器においては、容器本体に内容物を充填してから首部に中栓を嵌合装着し、しかる後にキャップを螺合装着することによって製品化されることになる。
【０００４】
しかしながら、このような油分を含有する内容物を収容する容器においては、種々の要因によって、首部に嵌合された中栓の当該首部に沿った回転を阻止する回転力（嵌合トルク）よりも、キャップを中栓に螺合装着する際にキャップを締め付ける回転力（締め付けトルク）の方が大きくなる場合があり、キャップと中栓との共回りが生じてキャップをスムーズに開閉することができなくなる。すなわち、例えばキャップを過度に締め付けすぎると、締め付けトルクが嵌合トルクよりも大きくなって首部と中栓との係止部分が破壊され、中栓が首部に対して空回りするおそれがあり、また首部と中栓との接触面に内容物の油分が付着すると嵌合トルクが低下して通常の締め付け力でも空回りしやすくなる。さらに首部と中栓との係止部分に寸法のバラツキがあると、係止代が小さくなって空回りしやすくなる場合がある。
【０００５】
本発明は、首部に沿った中栓の回転を阻止する回転力（嵌合トルク）よりも、中栓にキャップを締め付ける回転力（締め付けトルク）の方が大きくなるのを防止して、キャップと中栓との共回りか生じるのを効果的に回避できる油含有物用容器の提供を目的とする。
【０００６】
【課題を解決するための手段】
本発明は、ボトル状の容器本体と、該容器本体の首部に中栓を介して螺合装着されるキャップとからなり、油分を含有する内容物を収納する油含有物用の容器であって、前記中栓の雄ネジ形成部の外周面には雄ネジ突条が、前記キャップの雌ネジ形成部の内周面には雌ネジ突条が各々螺旋状に設けられ、且つ前記雌ネジ突条の先端部分が前記雄ネジ突条の終端部分まで達した後に前記キャップがさらに締め付けられた際に、前記容器本体の首部の外周面に沿って前記中栓が回転し始める回転力に前記締め付け時の回転力が到達する前に、前記雌ネジ突条の先端部分が前記雄ネジ突条の終端部分を乗り越えるように誘導する乗り越え誘導手段を備える油含有物用容器を提供することにより、上記目的を達成したものである。
【０００７】
ここで、上記記載における乗り越え誘導手段としては、前記雌ネジ突条の少なくとも先端部分や前記雄ネジ突条の少なくとも終端部分、或いは前記雌ネジ突条の少なくとも先端部分及び前記雄ネジ突条の少なくとも終端部分の双方について、そのフランク角を１０〜６０度とすることや、前記キャップの雌ネジ形成部に、前記雌ネジ突条と交差する方向に延設されて前記雌ネジ形成部の開口側端部に至る少なくとも一本のスリットを設けること等によって構成することができる。
【０００８】
また、上記記載におけるフランク角とは、雌ネジ突条と雄ネジ突条とが螺合された際に、雌ネジ突条又は雄ネジ突条が雄ネジ突条又は雌ネジ突条と当接する側の面における、キャップの天井面と平行な面に対する当該雌ネジ突条又は雄ネジ突条の当接部分の接線方向の角度を意味する。
【０００９】
【発明の実施の形態】
本発明の好ましい実施形態に係る油含有物用容器１０は、油分を含有する内容物として例えばドレッシングを収容する容器であって、図１及び図２に示すように、ボトル状の容器本体１１と、中栓１２と、オーバーキャップ１３とからなり、またオーバーキャップ１３は、容器本体１１の首部１４に嵌合装着された中栓１２を介して当該容器本体１１の首部１４に螺合装着されることになる。
【００１０】
また、本実施形態の油含有物用容器１０によれば、中栓１２の雄ネジ形成部１５の外周面には雄ネジ突条１６が、オーバーキャップ１３の雌ネジ形成部１７の内周面には雌ネジ突条１８が各々螺旋状に設けられており、且つ後述する乗り越え誘導手段によって、雌ネジ突条１８の螺旋方向の先端部分が雄ネジ突条１６の螺旋方向の終端部分まで達した後にオーバーキャップ１３がさらに締め付けられた際に、容器本体１１の首部１４の外周面に沿って中栓１２が回転し始める回転力（嵌合トルク）に締め付け時の回転力（締め付けトルク）が到達する前に、雌ネジ突条１８の先端部分が雄ネジ突条１６の終端部分を乗り越えるように誘導されることになる。
【００１１】
本実施形態によれば、容器本体１１は、ポリエチレンテレフタレート（ＰＥＴ）等の合成樹脂からなり、直径が例えば４０〜５０ｍｍ程度の大きさの略円筒状の透明な容器であって、首部１４を含むその上端部分の口頭部１９はインジェクションブロー成形法のインジェクション工程によって、口頭部１９より下方の胴部２０は延伸ブロー工程によって、一体として形成されている。また、首部１４には、環状凹溝２１を挟んで上方環状突起２２と下方環状突起２３とが設けられており、環状凹溝２１には中栓１２の内側環状突起２４が係止されることにより、首部１４に打ち込まれた中栓１２が当該首部１４に強固に嵌合装着されることになる。また上方環状突起２２の外周面には、周方向に等ピッチで複数の縦リブ２５が設けられており、この縦リブ２５に中栓１２の内周面に形成された縦溝２６が係止されることにより、首部１４の外周面に沿った中栓１２の回転を効果的に阻止することができるようになっている。
【００１２】
中栓１２は、例えばＰＥＴよりも軟らかい材質の低密度ポリエチレンからなり、首部１４の上方環状突起２２を覆い得る大きさの内径を有するスカート部２７と、スカート部２７の上方に一体化されたに雄ネジ形成部１５と、雄ネジ形成部１５の上方に一体として突出する注出口スリーブ２８とによって構成され、抽出口スリーブ２８の内側には、プルリング２９が設けられている。プルリング２９を切れ目３０に沿って引き裂くことにより、首部１４に嵌合装着された中栓１２を閉塞状態から開口できるように設けられている。また雄ネジ形成部１５の外周面には、雄ネジ突条１６が螺旋状に設けられている。さらにスカート部２７の内周面には、その下端部分に、容器本体１１の首部１４の環状凹溝２１に係合される内側環状突起２４が内方に突出して設けられると共に、この内側環状突起２４を縦方向に横断するようにして、縦溝２６が、首部１４の上方環状突起２２に設けられた縦リブ２５の位置と対応して周方向に等ピッチで複数設けられている。
【００１３】
オーバーキャップ１３は、ポリプロピレン（ＰＰ）等の合成樹脂からなる着色された略円筒状のキャップ部材であって、容器本体１１の口頭部１９を覆う外郭スリーブ部３１と、外郭スリーブ部３１の天井面３２の内側から下方に垂下して外郭スリーブ部３１と同心状に設けられるスリーブ形状の雌ネジ形成部１７とからなり、雌ネジ形成部１７には、その内周面に、中栓１２の雄ネジ突条１６と螺合される雌ネジ突条１８が設けられている。また本実施形態によれば、雌ネジ形成部１７には、雌ネジ突条１８と交差する方向として外郭スリーブ部３１の天井面３２からに垂直下方に延設して切り込まれると共に、雌ネジ形成部１７の開口側である下端部に至る複数本のスリット３３が周方向に等ピッチで設けられており、これらのスリット３３は、後述するように、補助的な乗り越え誘導手段を構成している。
【００１４】
そして、本実施形態によれば、雌ネジ突条１８の螺旋方向の先端部分が雄ネジ突条１６の螺旋方向の終端部分まで達した後にオーバーキャップ１３がさらに締め付けられた際に、嵌合トルクに締め付けトルクが到達する前に雌ネジ突条１８の先端部分が雄ネジ突条１６の終端部分を乗り越えるように誘導する乗り越え誘導手段が、雄ネジ突条１６と当接する雌ネジ突条１８の上面側の当接部分のフランク角θをその略全長に亘って例えば４０度とすることによって設けられている。すなわち、フランク角θを４０度にすることにより、図３（ａ）に示すように、オーバーキャップ１３が締め付けられた際に、雌ネジ突条１８と雄ネジ突条１６との間の接触部分に生じる押圧力Ｆの水平分力Ｈが相当の大きさとなるので、この水平分力Ｈによってスリーブ形状の雌ネジ形成部１７を外側に容易に弾性変形させることが可能となり、これによって嵌合トルクに到達しない所定の締め付けトルクにおいて、雌ネジ形成部１７を外側に弾性変形させつつ雌ネジ突条１８の先端部分が雄ネジ突条１６の終端部分を乗り越えるようにスムーズに誘導することが可能になる。
【００１５】
なお、雌ネジ突条１８のフランク角θは、１０〜６０度とすることが好ましい。フランク角θを１０度以下にすると、雌ネジ突条１８の先端部分が雄ネジ突条１６の終端部分をスムーズに乗り越えることができず、また６０度以上にすると、適性な締め付けトルクを発生する前に乗り越えてしまい、キャップが締まらなくなってしまう。すなわち、通常の使用中にキャップが緩み易くなり、液漏れを起こす危険性が発生する。また、嵌合トルクに到達する前に雌ネジ突条１８を乗り越えさせる所定の締め付けトルクは、嵌合トルクやオーバキャップ１３の着脱のし易さ等を鑑みて適宜設定することができ、またこの所定の締め付けトルクは、フランク角θを調整すること等によって任意の値に容易に設定することができる。
【００１６】
本実施形態によれば、油含有物用容器１０は、容器本体１１にドレッシングを充填してから首部１４に中栓１２を打ち込んで嵌合装着し、しかる後に中栓１２にオーバーキャップ１３を螺合装着することによって製品化される。
【００１７】
そして、本実施形態の油含有物用容器１０によれば、首部１４に沿った中栓１２の回転を阻止する嵌合トルクよりも、中栓１２にオーバーキャップ１３を締め付ける際の締め付けトルクの方が大きくなるのを防止して、オーバーキャップ１３と中栓１２との共回りか生じるのを効果的に回避することが可能になる。すなわち、本実施形態によれば、雌ネジ突条１８の上面側の接触面のフランク角θを４０度とした乗り越え誘導手段を備えていることにより、締め付けトルクが嵌合トルクに到達する前に、雌ネジ突条１８の先端部分が雄ネジ突条１６の終端部分を確実に乗り越えるように誘導して、締め付けトルクが過度に高くなるのを防止することができ、これによって首部１４と中栓１２との係止部分を破壊させることがない。また内容物であるドレッシングの油分が首部１４と中栓１２との接触面に付着したり寸法のバラツキによって嵌合トルクが低下しても、締め付けトルクが過度に高くなるのを回避できるので、中栓１２が首部１４に対して空回りするのを効果的に防止することが可能になる。
【００１８】
また、本実施形態の油含有物用容器１０によれば、オーバーキャップ１３の雌ネジ形成部１７には、外郭スリーブ部３０の天井面３２からに垂直下方に延設されたスリット３３が補助的な乗り越え誘導手段として形成されているので、雌ネジ形成部１７が外側へ弾性変形しやすくなり、締め付けトルクによって生じる押圧力Ｆの水平分力Ｈによる雌ネジ形成部１７の弾性変形を助長することになって、オーバーキャップ１３を着脱する際のオーバーキャップ１３と中栓１２との共回りをさらに容易かつ効果的に回避することが可能になる。
【００１９】
なお、本発明は上記実施形態に限定されることなく種々の変更が可能である。例えば、本発明の油含有物用容器は、ドレッシングに限定されることなく、その他の食品や、油分を含有する他の内容物を収納する容器として用いることもできる。また容器本体は、ＰＥＴ製等の樹脂製の容器である必要は必ずしもなく、ガラス製の容器の他、透明でないボトル状の容器であって良い。
【００２０】
また、フランク角を１０〜６０度として乗り越え誘導手段とする場合、図３（ｂ）又は（ｃ）に示すように、雄ネジ突条１６の下面側の当接部分のフランク角θを１０〜６０度としても良く、雌ネジ突条１８の上面側の当接部分及び雄ネジ突条１６の下面側の当接部分の双方のフランク角θを１０〜６０度としても良い。また雌ネジ突条１８や雄ネジ突条１６の全長に亘ってフランク角θを１０〜６０度とする必要は必ずしもなく、これらの少なくとも先端部分又は終端部分においてフランク角θを１０〜６０度とすれば良い。
【００２１】
さらに、キャップの雌ネジ形成部に設けたスリットを乗り越え誘導手段として、雌ネジ突条又は雄ネジ突条のフランク角θを１０〜６０度とすることなく、当該スリットのみによって、雌ネジ突条の先端部分が雄ネジ突条の終端部分を乗り越えるように誘導することもできる。さらにまた、フランク角θを１０〜６０度とすることやスリットを設けること以外の他の乗り越え誘導手段を採用することもできる。
【００２２】
【発明の効果】
本発明の油含有物用容器によれば、首部に沿った中栓の回転を阻止する回転力（嵌合トルク）よりも、中栓にキャップを締め付ける回転力（締め付けトルク）の方が大きくなるのを防止して、キャップと中栓との共回りか生じるのを効果的に回避することができる。
【図面の簡単な説明】
【図１】本発明の一実施形態に係る油含有物用容器を示す一部破断分解斜視図である。
【図２】本発明の一実施形態に係る油含有物用容器の要部を示す部分拡大断面図である。
【図３】（ａ）〜（ｃ）は、雌ネジ突条又は雄ネジ突条のフランク角θを１０〜６０度とした各形態を例示する部分拡大断面図である。
【符号の説明】
１０  油含有物用容器
１１  容器本体
１２  中栓
１３  オーバーキャップ
１４  首部
１５  雄ネジ形成部
１６  雄ネジ突条
１７  雌ネジ形成部
１８  雌ネジ突条
２１  環状凹溝
２４  内側環状突起
２５  縦リブ
２６  縦溝
２９  プルリング
３３  スリット
θ    フランク角
Ｈ    接触部分に生じる押圧力の水平分力
【図１】
0004079637.tif 000002
【図２】
0004079637.tif 000003
【図３】
0004079637.tif 000004